(57)【特許請求の範囲】
【請求項１】
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、
前記第２方向に沿って細長いコンタクト収容室を有するハウジングと、
前記ハウジングの前記コンタクト収容室に収容されるコンタクトと、
を備え、
前記ハウジングは、前記コンタクト収容室の前記カメラレンズモジュール側を区画すると共に、コンタクト挿入孔を有するモジュール側隔壁を有し、
前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、
前記連結部は、前記固定部から離れるように前記第２方向に延びる連結本体部と、前記連結本体部を挟んで前記固定部と反対側に配置された折り返し部と、を含み、
前記固定部は、前記第２方向において、前記接点突起部を挟んで前記折り返し部と反対側に配置されており、
前記第１方向と、前記接点突起部の突出方向と、前記固定部の延びる方向は、略等しく、
前記ハウジングは、前記第１方向に延びて、前記固定部を収容する圧入溝を有する、
電気コネクタ。
【請求項２】
請求項１に記載の電気コネクタであって、
前記連結部は、前記連結本体部の前記固定部側の端部を、前記固定部の前記カメラレンズモジュール側の端部に連結するための連結基端部を更に含む、
電気コネクタ。
【請求項３】
請求項２に記載の電気コネクタであって、
前記連結基端部は、
前記固定部の前記カメラレンズモジュール側の端部から湾曲しながら延びる湾曲部と、
前記連結本体部から前記第１方向に沿って延びる延部と、
によって構成されている、
電気コネクタ。
【請求項４】
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、
前記第２方向に沿って細長いコンタクト収容室を有するハウジングと、
前記ハウジングの前記コンタクト収容室に収容されるコンタクトと、
を備え、
前記ハウジングは、前記コンタクト収容室の前記カメラレンズモジュール側を区画すると共に、コンタクト挿入孔を有するモジュール側隔壁を有し、
前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、
前記連結部は、前記固定部から離れるように前記第２方向に延びる連結本体部と、前記連結本体部を挟んで前記固定部と反対側に配置された折り返し部と、を含み、
前記固定部は、前記第２方向において、前記接点突起部を挟んで前記折り返し部と反対側に配置されており、
前記接点突起部は、前記カメラレンズモジュール側へ膨らみ出ている接点突起部本体と、前記接点突起部本体の周縁に沿って切れ目のないフランジ部と、を含んで構成されており、
前記連結部は、前記連結本体部から前記接点突起部に向かって突出し、前記接点突起部の前記フランジ部に対して接触可能な弾性変形規制部を更に含む、
電気コネクタ。
【請求項５】
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、
前記第２方向に沿って細長いコンタクト収容室を有するハウジングと、
前記ハウジングの前記コンタクト収容室に収容されるコンタクトと、
を備え、
前記ハウジングは、前記コンタクト収容室の前記カメラレンズモジュール側を区画すると共に、コンタクト挿入孔を有するモジュール側隔壁を有し、
前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、
前記連結部は、前記固定部から離れるように前記第２方向に延びる連結本体部と、前記連結本体部を挟んで前記固定部と反対側に配置された折り返し部と、を含み、
前記固定部は、前記第２方向において、前記接点突起部を挟んで前記折り返し部と反対側に配置されており、
前記接点突起部は、前記カメラレンズモジュール側へ膨らみ出ている接点突起部本体と、前記接点突起部本体の周縁に沿って切れ目のないフランジ部と、を含んで構成されており、
前記ハウジングは、前記コンタクト収容室の前記第３方向側を区画する一対の側方隔壁を有しており、
前記フランジ部は、前記フランジ部が前記モジュール側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触し、もって、前記接点突起部の前記接点突起部本体は前記コンタクト挿入孔の前記内周面に接触不能である、
電気コネクタ。
【請求項６】
請求項１〜５の何れかに記載の電気コネクタであって、
前記カメラレンズモジュールを前記カメラ本体に取り付けた際に、前記連結部が接触可能な電極パッドを有する回路基板を更に備える、
電気コネクタ。
【請求項７】
第１の部品に対して第２の部品を電気的に接続するために前記第１の部品に搭載されて用いられる電気コネクタであって、
コンタクト収容室を有するハウジングと、
前記ハウジングの前記コンタクト収容室に収容されるコンタクトと、
を備え、
前記ハウジングは、前記コンタクト収容室の前記第２の部品側を区画すると共に、コンタクト挿入孔を有する第２の部品側隔壁を有し、
前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、
前記連結部は、
前記固定部から離れるように、前記コンタクト挿入孔の開口方向としての第１方向に対して実質的に直交する第２方向に延びる、連結本体部と、
前記連結本体部を挟んで前記固定部と反対側に配置された折り返し部と、
を含み、
前記固定部は、前記第２方向において、前記接点突起部を挟んで前記折り返し部と反対側に配置されており、
前記第１方向と、前記接点突起部の突出方向と、前記固定部の延びる方向は、略等しく、
前記ハウジングは、前記第１方向に延びて、前記固定部を収容する圧入溝を有する、
電気コネクタ。
【請求項８】
請求項７に記載の電気コネクタであって、
前記連結部は、前記連結本体部の前記固定部側の端部を、前記固定部の前記第２の部品側の端部に連結するための連結基端部を更に含む、
電気コネクタ。
【請求項９】
請求項８に記載の電気コネクタであって、
前記連結基端部は、
前記固定部の前記第２の部品側の端部から湾曲しながら延びる湾曲部と、
前記連結本体部から前記第１方向に沿って延びる延部と、
によって構成されている、
電気コネクタ。
【請求項１０】
第１の部品に対して第２の部品を電気的に接続するために前記第１の部品に搭載されて用いられる電気コネクタであって、
コンタクト収容室を有するハウジングと、
前記ハウジングの前記コンタクト収容室に収容されるコンタクトと、
を備え、
前記ハウジングは、前記コンタクト収容室の前記第２の部品側を区画すると共に、コンタクト挿入孔を有する第２の部品側隔壁を有し、
前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、
前記連結部は、
前記固定部から離れるように、前記コンタクト挿入孔の開口方向としての第１方向に対して実質的に直交する第２方向に延びる、連結本体部と、
前記連結本体部を挟んで前記固定部と反対側に配置された折り返し部と、
を含み、
前記固定部は、前記第２方向において、前記接点突起部を挟んで前記折り返し部と反対側に配置されており、
前記接点突起部は、前記第２の部品側へ膨らみ出ている接点突起部本体と、前記接点突起部本体の周縁に沿って切れ目のないフランジ部と、を含んで構成されており、
前記連結部は、前記連結本体部から前記接点突起部に向かって突出し、前記接点突起部の前記フランジ部に対して接触可能な弾性変形規制部を更に含む、
電気コネクタ。
【請求項１１】
第１の部品に対して第２の部品を電気的に接続するために前記第１の部品に搭載されて用いられる電気コネクタであって、
コンタクト収容室を有するハウジングと、
前記ハウジングの前記コンタクト収容室に収容されるコンタクトと、
を備え、
前記ハウジングは、前記コンタクト収容室の前記第２の部品側を区画すると共に、コンタクト挿入孔を有する第２の部品側隔壁を有し、
前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、
前記連結部は、
前記固定部から離れるように、前記コンタクト挿入孔の開口方向としての第１方向に対して実質的に直交する第２方向に延びる、連結本体部と、
前記連結本体部を挟んで前記固定部と反対側に配置された折り返し部と、
を含み、
前記固定部は、前記第２方向において、前記接点突起部を挟んで前記折り返し部と反対側に配置されており、
前記接点突起部は、前記第２の部品側へ膨らみ出ている接点突起部本体と、前記接点突起部本体の周縁に沿って切れ目のないフランジ部と、を含んで構成されており、
前記第１方向及び前記第２方向に対して直交する方向を第３方向とすると、
前記ハウジングは、前記コンタクト収容室の前記第３方向側を区画する一対の側方隔壁を有しており、
前記フランジ部は、前記フランジ部が前記第２の部品側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触し、もって、前記接点突起部の前記接点突起部本体は前記コンタクト挿入孔の前記内周面に接触不能である、
電気コネクタ。
【請求項１２】
請求項７〜１１の何れかに記載の電気コネクタであって、
前記第２の部品を前記第１の部品に取り付けた際に、前記連結部が接触可能な電極パッドを有する回路基板を更に備える、
電気コネクタ。
【発明の詳細な説明】
【技術分野】
【０００１】
本発明は、電気コネクタに関する。
【背景技術】
【０００２】
この種の技術として、特許文献１は、本願の図20に示すように、円筒状接点１００が形成された短い接点部分１０１と、S字型のスプリングアーム１０２と、を有する１部片電気端子１０３を開示している。そして、スプリングアーム１０２が円筒状接点１００をスプリング負荷する状態では、円筒状接点１００が矢印Aの方向に移動し得るように構成されている。
【先行技術文献】
【特許文献】
【０００３】
【特許文献１】特開平１１−３２９６３４号公報
【発明の概要】
【発明が解決しようとする課題】
【０００４】
ところで、カメラレンズマウント向けの電気コネクタの分野では、光軸方向のサイズを小さく抑える技術が求めらている。
【０００５】
本願発明の目的は、カメラレンズマウント向けの電気コネクタの光軸方向のサイズを小さく抑える技術を提供することにある。
【課題を解決するための手段】
【０００６】
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、前記第２方向に沿って細長いコンタクト収容室を有するハウジングと、前記ハウジングの前記コンタクト収容室に収容されるコンタクトと、を備え、前記ハウジングは、前記コンタクト収容室の前記カメラレンズモジュール側を区画すると共に、コンタクト挿入孔を有するモジュール側隔壁を有し、前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、前記連結部は、前記固定部から離れるように前記第２方向に延びる連結本体部と、前記連結本体部を挟んで前記固定部と反対側に配置された折り返し部と、を含み、前記固定部は、前記第２方向において、前記接点突起部を挟んで前記折り返し部と反対側に配置されており、前記第１方向と、前記接点突起部の突出方向と、前記固定部の延びる方向は、略等しく、前記ハウジングは、前記第１方向に延びて、前記固定部を収容する圧入溝を有する、電気コネクタが提供される。
前記連結部は、前記連結本体部の前記固定部側の端部を、前記固定部の前記カメラレンズモジュール側の端部に連結するための連結基端部を更に含む。
前記連結基端部は、前記固定部の前記カメラレンズモジュール側の端部から湾曲しながら延びる湾曲部と、前記連結本体部から前記第１方向に沿って延びる延部と、によって構成されている。
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、前記第２方向に沿って細長いコンタクト収容室を有するハウジングと、前記ハウジングの前記コンタクト収容室に収容されるコンタクトと、を備え、前記ハウジングは、前記コンタクト収容室の前記カメラレンズモジュール側を区画すると共に、コンタクト挿入孔を有するモジュール側隔壁を有し、前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、前記連結部は、前記固定部から離れるように前記第２方向に延びる連結本体部と、前記連結本体部を挟んで前記固定部と反対側に配置された折り返し部と、を含み、前記固定部は、前記第２方向において、前記接点突起部を挟んで前記折り返し部と反対側に配置されており、前記接点突起部は、前記カメラレンズモジュール側へ膨らみ出ている接点突起部本体と、前記接点突起部本体の周縁に沿って切れ目のないフランジ部と、を含んで構成されており、前記連結部は、前記連結本体部から前記接点突起部に向かって突出し、前記接点突起部の前記フランジ部に対して接触可能な弾性変形規制部を更に含む、電気コネクタが提供される。
カメラ本体に対してカメラレンズモジュールを電気的に接続するために前記カメラ本体に搭載されて用いられる電気コネクタであって、前記電気コネクタは、前記カメラレンズモジュールの光軸と実質的に平行な第１方向と、前記第１方向に対して直交する方向のうち特定の方向としての第２方向と、前記第１方向及び前記第２方向に対して直交する第３方向と、を有し、前記第２方向に沿って細長いコンタクト収容室を有するハウジングと、前記ハウジングの前記コンタクト収容室に収容されるコンタクトと、を備え、前記ハウジングは、前記コンタクト収容室の前記カメラレンズモジュール側を区画すると共に、コンタクト挿入孔を有するモジュール側隔壁を有し、前記コンタクトは、前記コンタクト挿入孔を通り前記モジュール側隔壁から前記カメラレンズモジュール側に突出して前記カメラレンズモジュールに対する電気的な接点として機能する接点突起部と、前記ハウジングに固定される固定部と、前記接点突起部と前記固定部を弾性的に連結する連結部と、を有し、前記連結部は、前記固定部から離れるように前記第２方向に延びる連結本体部と、前記連結本体部を挟んで前記固定部と反対側に配置された折り返し部と、を含み、前記固定部は、前記第２方向において、前記接点突起部を挟んで前記折り返し部と反対側に配置されており、前記接点突起部は、前記カメラレンズモジュール側へ膨らみ出ている接点突起部本体と、前記接点突起部本体の周縁に沿って切れ目のないフランジ部と、を含んで構成されており、前記ハウジングは、前記コンタクト収容室の前記第３方向側を区画する一対の側方隔壁を有しており、前記フランジ部は、前記フランジ部が前記モジュール側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触し、もって、前記接点突起部の前記接点突起部本体は前記コンタクト挿入孔の前記内周面に接触不能である、電気コネクタが提供される。
前記カメラレンズモジュールを前記カメラ本体に取り付けた際に、前記連結部が接触可能な電極パッドを有する回路基板を更に備える。
第１の部品に対して第２の部品を電気的に接続するために前記第１の部品に搭載されて用いられる電気コネクタであって、コンタクト収容室を有するハウジングと、前記ハウジングの前記コンタクト収容室に収容されるコンタクトと、を備え、前記ハウジングは、前記コンタクト収容室の前記第２の部品側を区画すると共に、コンタクト挿入孔を有する第２の部品側隔壁を有し、前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、前記連結部は、前記固定部から離れるように、前記コンタクト挿入孔の開口方向としての第１方向に対して実質的に直交する第２方向に延びる、連結本体部と、前記連結本体部を挟んで前記固定部と反対側に配置された折り返し部と、を含み、前記固定部は、前記第２方向において、前記接点突起部を挟んで前記折り返し部と反対側に配置されており、前記第１方向と、前記接点突起部の突出方向と、前記固定部の延びる方向は、略等しく、前記ハウジングは、前記第１方向に延びて、前記固定部を収容する圧入溝を有する、電気コネクタが提供される。
前記連結部は、前記連結本体部の前記固定部側の端部を、前記固定部の前記第２の部品側の端部に連結するための連結基端部を更に含む。
前記連結基端部は、前記固定部の前記第２の部品側の端部から湾曲しながら延びる湾曲部と、前記連結本体部から前記第１方向に沿って延びる延部と、によって構成されている。
第１の部品に対して第２の部品を電気的に接続するために前記第１の部品に搭載されて用いられる電気コネクタであって、コンタクト収容室を有するハウジングと、前記ハウジングの前記コンタクト収容室に収容されるコンタクトと、を備え、前記ハウジングは、前記コンタクト収容室の前記第２の部品側を区画すると共に、コンタクト挿入孔を有する第２の部品側隔壁を有し、前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、前記連結部は、前記固定部から離れるように、前記コンタクト挿入孔の開口方向としての第１方向に対して実質的に直交する第２方向に延びる、連結本体部と、前記連結本体部を挟んで前記固定部と反対側に配置された折り返し部と、を含み、前記固定部は、前記第２方向において、前記接点突起部を挟んで前記折り返し部と反対側に配置されており、前記接点突起部は、前記第２の部品側へ膨らみ出ている接点突起部本体と、前記接点突起部本体の周縁に沿って切れ目のないフランジ部と、を含んで構成されており、前記連結部は、前記連結本体部から前記接点突起部に向かって突出し、前記接点突起部の前記フランジ部に対して接触可能な弾性変形規制部を更に含む、電気コネクタが提供される。
第１の部品に対して第２の部品を電気的に接続するために前記第１の部品に搭載されて用いられる電気コネクタであって、コンタクト収容室を有するハウジングと、前記ハウジングの前記コンタクト収容室に収容されるコンタクトと、を備え、前記ハウジングは、前記コンタクト収容室の前記第２の部品側を区画すると共に、コンタクト挿入孔を有する第２の部品側隔壁を有し、前記コンタクトは、前記コンタクト挿入孔を通り前記第２の部品側隔壁から前記第２の部品側に突出して前記第２の部品に対する電気的な接点として機能する接点突起部と、前記ハウジングに固定される固定部と、前記接点突起部と前記固定部を弾性的に連結する連結部と、を有し、前記連結部は、前記固定部から離れるように、前記コンタクト挿入孔の開口方向としての第１方向に対して実質的に直交する第２方向に延びる、連結本体部と、前記連結本体部を挟んで前記固定部と反対側に配置された折り返し部と、を含み、前記固定部は、前記第２方向において、前記接点突起部を挟んで前記折り返し部と反対側に配置されており、前記接点突起部は、前記第２の部品側へ膨らみ出ている接点突起部本体と、前記接点突起部本体の周縁に沿って切れ目のないフランジ部と、を含んで構成されており、前記第１方向及び前記第２方向に対して直交する方向を第３方向とすると、前記ハウジングは、前記コンタクト収容室の前記第３方向側を区画する一対の側方隔壁を有しており、前記フランジ部は、前記フランジ部が前記第２の部品側隔壁に対して前記連結部のバネ復元力により接触している状態で、前記第３方向において、前記接点突起部の前記接点突起部本体が前記コンタクト挿入孔の内周面に接触するよりも先に前記フランジ部が前記一対の側方隔壁のうち何れかに接触し、もって、前記接点突起部の前記接点突起部本体は前記コンタクト挿入孔の前記内周面に接触不能である、電気コネクタが提供される。
前記第２の部品を前記第１の部品に取り付けた際に、前記連結部が接触可能な電極パッドを有する回路基板を更に備える。
【発明の効果】
【０００７】
本願発明によれば、前記電気コネクタの光軸方向のサイズを小さく抑えることができる。
【図面の簡単な説明】
【０００８】
【図１】図1は、カメラ本体からカメラレンズモジュールを取り外した状態を示す斜視図である。（第１実施形態）
【図２】図2は、マウント用電気コネクタの分解斜視図である。（第１実施形態）
【図３】図3は、図１のIII-III線断面図である。（第１実施形態）
【図４】図4は、図３のIV-IV線断面図である。（第１実施形態）
【図５】図5は、図３に相当する図であって、コンタクトを省略した図である。（第１実施形態）
【図６】図6は、コンタクトの斜視図である。（第１実施形態）
【図７】図7は、コンタクトの側面図である。（第１実施形態）
【図８】図8は、図３に相当する図である。（第１実施形態）
【図９】図9は、図３に相当する図であって、コンタクトが押し下げられた状態を示す図である。メッシュは有限要素法の解析に用いたものである。（第１実施形態）
【図１０】図10は、図３に相当する図であって、連結部がFPCに対する接点として機能している図である。（第２実施形態）
【図１１】図11は、図３に相当する図であって、コンタクトが意図的に押し下げられた状態を示す図である。メッシュは有限要素法の解析に用いたものである。（第３実施形態）
【図１２】図12は、図３に相当する図であって、コンタクトの弾性変形が抑制された状態を示す図である。メッシュは有限要素法の解析に用いたものである。（第３実施形態）
【図１３】図13は、図３に相当する図であって、コンタクトの弾性変形が抑制された状態を示す図である。メッシュは有限要素法の解析に用いたものである。（第４実施形態）
【図１４】図14は、コンタクトの側面図である。（第１変形例）
【図１５】図15は、コンタクトの側面図である。（第２変形例）
【図１６】図16は、コンタクトの側面図である。（第３変形例）
【図１７】図17は、コンタクトの側面図である。（第４変形例）
【図１８】図18は、コンタクトの側面図である。（第５変形例）
【図１９】図19は、ハウジングの部分底面図である。（第1実施形態）
【図２０】図20は、特許文献１の図６に相当する図である。
【発明を実施するための形態】
【０００９】
（第１実施形態）
以下、図１〜図９、及び図１９を参照しつつ、本願発明の第１実施形態を説明する。
【００１０】
図１に示すように、マウント用電気コネクタ１（電気コネクタ）は、カメラ本体２に対してカメラレンズモジュール３を電気的に接続するためにカメラ本体２に搭載されて用いられるものである。
【００１１】
ここで、図１を参照しつつ、「光軸方向（第１方向）」及び「径方向（第２方向）」、「周方向（第３方向）」を定義する。「光軸方向」は、カメラレンズモジュール３の光軸Pに対して実質的に平行な方向である。「光軸方向」のうち、カメラ本体２からカメラレンズモジュール３を見る方向を「被写体方向」とし、カメラレンズモジュール３からカメラ本体２を見る方向を「反被写体方向」とする。「径方向」は、光軸方向に対して直交する方向であって、かつ、カメラレンズモジュール３の光軸Pに対して直交する方向である。「径方向」のうち、カメラレンズモジュール３の光軸Pに近づく方向を光軸近接方向とし、カメラレンズモジュール３の光軸Pから離れる方向を光軸離間方向とする。「周方向」は、光軸方向及び径方向に対して直交する方向である。即ち、「周方向」は、カメラレンズモジュール３の光軸Pを中心とした周方向に相当している。
【００１２】
図２に示すように、マウント用電気コネクタ１は、光軸方向及び径方向、周方向を有している。
【００１３】
（マウント用電気コネクタ１）
図２に示すように、マウント用電気コネクタ１は、ハウジング４と、複数のコンタクト５と、FPC６（Flexible printed circuits、回路基板）と、によって構成されている。
【００１４】
ハウジング４は、絶縁性の樹脂等によって、光軸方向を中心として環状に形成されている。複数のコンタクト５は、環状のハウジング４に沿って並べて配置されている。FPC６は、複数のコンタクト５に対応するように円弧状に延びるFPC円弧部６ａと、FPC円弧部６ａの長手方向の中途部から引き出されたFPCリード部６ｂと、によって構成されている。FPC円弧部６ａの被写体方向側の面には、複数の電極パッド７が露出している。複数の電極パッド７は、複数のコンタクト５に夫々対向している。
【００１５】
図３には、ハウジング４に複数のコンタクト５とFPC６が取り付けられた状態のマウント用電気コネクタ１の断面を示している。図４には、FPC６が取り外された状態のマウント用電気コネクタ１の断面を示している。以下、図３〜図８を参照して、マウント用電気コネクタ１の構成を詳細に説明する。
【００１６】
（ハウジング４）
図５に示すように、ハウジング４は、光軸方向隔壁１０（モジュール側隔壁）と、複数の周方向隔壁１１（側方隔壁）と、内周壁１２と、コンタクト外周壁１３と、モジュール外周壁１４と、を有している。
【００１７】
光軸方向隔壁１０は、光軸方向に対して直交する平板状の環状壁体である。光軸方向隔壁１０は、被写体方向を向くモジュール対向面１０ａと、反被写体方向を向くコンタクト対向面１０ｂと、を有している。複数の周方向隔壁１１は、光軸方向隔壁１０のコンタクト対向面１０ｂから反被写体方向側へ突出し、周方向に対して直交する平板状の壁体である。図１９に示すように、複数の周方向隔壁１１は、周方向に並べて配置されている。図５に戻り、内周壁１２は、光軸方向隔壁１０のコンタクト対向面１０ｂの内周縁から反被写体方向へ突出し、径方向に対して直交する筒状の壁体である。コンタクト外周壁１３は、光軸方向隔壁１０のコンタクト対向面１０ｂの外周縁から反被写体方向へ突出し、径方向に対して直交する筒状の壁体である。モジュール外周壁１４は、光軸方向隔壁１０のモジュール対向面１０ａの外周縁から被写体方向へ突出し、径方向に対して直交する筒状の壁体である。
【００１８】
そして、光軸方向隔壁１０と周方向隔壁１１、内周壁１２、コンタクト外周壁１３によって、コンタクト５が収容されるコンタクト収容室１５が径方向に沿って細長く形成されている。即ち、光軸方向隔壁１０は、コンタクト収容室１５の被写体方向側を区画する。周方向隔壁１１は、コンタクト収容室１５の周方向側を区画する。内周壁１２は、コンタクト収容室１５の光軸近接方向側を区画する。コンタクト外周壁１３は、コンタクト収容室１５の光軸離間方向側を区画する。そして、コンタクト収容室１５の反被写体方向側は、ハウジング４に取り付けられたFPC６によって区画されている。
【００１９】
また、図５に示すように、光軸方向隔壁１０とモジュール外周壁１４によって、カメラレンズモジュール３が嵌合されるモジュール嵌合窪み１６が形成されている。即ち、光軸方向隔壁１０は、モジュール嵌合窪み１６の反被写体方向側を区画する。モジュール外周壁１４は、モジュール嵌合窪み１６の光軸離間方向側を区画する。モジュール嵌合窪み１６は、光軸近接方向側及び被写体方向側に開口している。
【００２０】
（コンタクト収容室１５）
本実施形態においてハウジング４には、複数のコンタクト収容室１５が形成されている。複数のコンタクト収容室１５は、何れも同一形状である。従って、以下、複数のコンタクト収容室１５のうち何れか１つのコンタクト収容室１５についてのみ説明し、他のコンタクト収容室１５については説明を省略する。
【００２１】
図２に示すように、ハウジング４の光軸方向隔壁１０には、複数のコンタクト挿入孔２０が形成されている。各コンタクト挿入孔２０は、図４及び図５に示すように、各コンタクト収容室１５と接続している。図５に示すように、コンタクト挿入孔２０は、光軸方向隔壁１０の内周縁寄りに形成されている。図４に示すように、コンタクト挿入孔２０は、内周面２０ａを有している。
【００２２】
図５に示すように、コンタクト収容室１５の周方向側を区画する一対の周方向隔壁１１は、コンタクト収容室１５に収容されたコンタクト５に対して周方向において対向するコンタクト対向面１１ａを有している。一対の周方向隔壁１１のコンタクト対向面１１ａには、圧入溝２１がそれぞれ形成されている。各圧入溝２１は、コンタクト外周壁１３に対して光軸近接方向側に隣接するように形成されている。各圧入溝２１は、光軸方向に延びて形成されている。
【００２３】
また、図５に示すように、ハウジング４は、光軸方向隔壁１０を補強するための補強用リブ２２を有している。補強用リブ２２は、光軸方向隔壁１０のコンタクト対向面１０ｂから反被写体方向へ筒状に突出して形成されている。
【００２４】
（コンタクト５）
本実施形態において複数のコンタクト５は、何れも同一形状である。従って、以下、複数のコンタクト５のうち何れか１つのコンタクト５についてのみ説明し、他のコンタクト５については説明を省略する。
【００２５】
図６に示すように、コンタクト５は、導電性の金属板を折り曲げ加工及び絞り加工、錫めっきによる表面加工により形成されている。コンタクト５は、固定部３０と、接点突起部３１、連結部３２によって構成されている。
【００２６】
固定部３０は、ハウジング４に固定される部分である。固定部３０は、径方向に対して直交する平板として形成されている。固定部３０には、一対の爪部３３が形成されている。一対の爪部３３は、固定部３０の周方向側の側縁に形成されている。
【００２７】
接点突起部３１は、例えば図４に示すように、コンタクト挿入孔２０に挿入され光軸方向隔壁１０からカメラレンズモジュール３側に突出してカメラレンズモジュール３に対する電気的な接点として機能する部分である。図６に示すように、接点突起部３１は、接点突起部本体３４とフランジ部３５によって構成されている。接点突起部本体３４は、絞り加工によってカメラレンズモジュール３側へ膨らみ出るように形成される部分である。フランジ部３５は、接点突起部本体３４の反被写体方向側の端部の周縁に沿って環状に切れ目なく形成される部分である。フランジ部３５は、光軸方向に対して略直交する平板状に形成されている。
【００２８】
連結部３２は、接点突起部３１と固定部３０を弾性的に連結する部分である。図６及び図７に示すように、連結部３２は、固定部３０から接点突起部３１に向かって順に、連結基端部４０、連結本体部４１、折り返し部４２によって構成されている。
【００２９】
連結基端部４０は、連結本体部４１の固定部３０側の端部４１ａを、固定部３０の被写体方向側の端部３０ａに連結するための部分である。連結基端部４０は、湾曲部４３と延部４４によって構成されている。湾曲部４３は、固定部３０の端部３０ａに接続し、光軸近接方向側へ１８０度、折り返されて湾曲した部分である。延部４４は、連結本体部４１の固定部３０側の端部４１ａに接続し、光軸方向に延びる部分である。
【００３０】
連結本体部４１は、固定部３０から離れるように概ね光軸近接方向に延びる部分である。連結本体部４１は、光軸離間方向側で水平に延びる第１水平部４５と、光軸近接方向で被写体側に傾斜する傾斜部４６と、光軸近接方向側で水平に延びる第２水平部４７と、によって構成されている。
【００３１】
折り返し部４２は、連結本体部４１を挟んで固定部３０と反対側に配置される部分である。折り返し部４２は、連結本体部４１の光軸近接方向側の端部である第２水平部４７に接続し、被写体方向側へ１８０度、折り返されて湾曲して形成されている。
【００３２】
コンタクト５は、更に、ハンダ付け部４８を有している。ハンダ付け部４８は、図２のFPC６のFPC円弧部６ａの電極パッド７にハンダ付けされる部分である。
【００３３】
以上に説明したコンタクト５をハンダ付け部４８から順に辿ると、図７に示すように、ハンダ付け部４８、固定部３０、連結基端部４０の湾曲部４３、連結基端部４０の延部４４、連結本体部４１の第１水平部４５、連結本体部４１の傾斜部４６、連結本体部４１の第２水平部４７、折り返し部４２の順に連なっている。そして、折り返し部４２に接点突起部３１が接続している。即ち、折り返し部４２の連結本体部４１と反対側の端部に接点突起部３１のフランジ部３５が接続している。換言すれば、折り返し部４２は、連結本体部４１と接点突起部３１を連結している。更に換言すれば、接点突起部３１は、連結本体部４１から見て折り返し部４２の先にある。従って、図７に示すように周方向で見て、接点突起部３１のフランジ部３５と、折り返し部４２と、連結本体部４１の第２水平部４７は、略U字状となるように配置されている。同様に、周方向で見て、固定部３０と、連結基端部４０の湾曲部４３と、連結基端部４０の延部４４は、略U字状となるように配置されている。
【００３４】
以上の構成のコンタクト５をハウジング４のコンタクト収容室１５に収容するに際しては、図８に示すように、コンタクト５の接点突起部３１の接点突起部本体３４を光軸方向隔壁１０のコンタクト挿入孔２０に挿入しつつ、コンタクト５の固定部３０をハウジング４の周方向隔壁１１の圧入溝２１に圧入する。この圧入により、コンタクト５の固定部３０は、ハウジング４に固定されることになる。
【００３５】
ここで、コンタクト５の接点突起部３１の接点突起部本体３４の、ハウジング４の光軸方向隔壁１０のコンタクト挿入孔２０への挿入方向は被写体方向に一致している。また、コンタクト５の固定部３０の、ハウジング４の周方向隔壁１１の圧入溝２１への圧入方向も被写体方向に一致している。従って、コンタクト５の接点突起部３１の接点突起部本体３４の、ハウジング４の光軸方向隔壁１０のコンタクト挿入孔２０への挿入方向は、コンタクト５の固定部３０の、ハウジング４の周方向隔壁１１の圧入溝２１への圧入方向と略同じに設定されていると言及できる。
【００３６】
図８に示すように、コンタクト５をハウジング４に取り付けると、コンタクト５は、コンタクト５の接点突起部３１のフランジ部３５が、ハウジング４の光軸方向隔壁１０のコンタクト対向面１０ｂに対して、連結部３２のバネ復元力により接触した状態としてのプリロード状態となっている。図４は、図８と同様に、コンタクト５のプリロード状態を示している。図４に示すように、コンタクト５のプリロード状態において、周方向において、接点突起部３１の接点突起部本体３４がコンタクト挿入孔２０の内周面２０ａに接触するよりも先に接点突起部３１のフランジ部３５が周方向隔壁１１のコンタクト対向面１１ａに接触するように形成されている。即ち、図４のように光軸離間方向で見て、フランジ部３５と周方向隔壁１１のコンタクト対向面１１ａとの間の隙間ａと、接点突起部本体３４とコンタクト挿入孔２０の内周面２０ａとの間の隙間ｂと、の間では、常時、ａ＜ｂが成立している。
【００３７】
図９には、図示しないカメラレンズモジュール３がカメラ本体２に取り付けられたことで、接点突起部３１が反被写体方向側に押し下げられた状態を示している。図９に示すように、接点突起部３１が接触荷重Qによって反被写体方向側に押し下げられると、接点突起部３１は、固定部３０を支点として矢印Xで示すように時計回りに回転しようとし、同時に、折り返し部４２を支点として矢印Yで示すように反時計回りで回転しようとする。この結果、接点突起部３１が接触荷重Qによって反被写体方向に押し下げられる際、接点突起部３１は、周方向で見て、概ね同じ姿勢を維持したまま変位することになる。
【００３８】
以上に、本願発明の好適な第１実施形態を説明したが、上記第１実施形態は、要するに、以下の特長を有している。
【００３９】
（１）マウント用電気コネクタ１（電気コネクタ）は、カメラ本体２に対してカメラレンズモジュール３を電気的に接続するためにカメラ本体２に搭載されて用いられる。マウント用電気コネクタ１は、カメラレンズモジュール３の光軸Pと実質的に平行な光軸方向（第１方向）と、光軸方向に対して直交する方向のうち特定の方向としての径方向（第２方向）と、光軸方向及び径方向に対して直交する周方向（第３方向）と、を有する。マウント用電気コネクタ１は、コンタクト収容室１５が径方向に沿って細長く形成されたハウジング４と、ハウジング４のコンタクト収容室１５に収容されるコンタクト５と、を備える。ハウジング４は、コンタクト収容室１５のカメラレンズモジュール３側を区画すると共に、コンタクト挿入孔２０が形成された光軸方向隔壁１０（モジュール側隔壁）と、コンタクト収容室１５の周方向側を区画する一対の周方向隔壁１１（側方隔壁）と、を有する。コンタクト５は、コンタクト挿入孔２０に挿入され光軸方向隔壁１０からカメラレンズモジュール３側に突出してカメラレンズモジュール３に対する電気的な接点として機能する接点突起部３１と、ハウジング４に固定される固定部３０と、接点突起部３１と固定部３０を弾性的に連結する連結部３２と、を有する。連結部３２は、固定部３０から離れるように径方向に延びる連結本体部４１と、連結本体部４１を挟んで固定部３０と反対側に配置される折り返し部４２と、を含む。固定部３０は、径方向において、接点突起部３１を挟んで折り返し部４２と反対側に配置されている。以上の構成によれば、マウント用電気コネクタ１の光軸方向のサイズを小さく抑えることができる。
【００４０】
（２）また、固定部３０は、ハウジング４に対して圧入されることでハウジング４に対して固定される。
【００４１】
（３）また、固定部３０のハウジング４に対する圧入方向は、接点突起部３１のコンタクト挿入孔２０への挿入方向と略同じに設定されている。以上の構成によれば、コンタクト５をハウジング４に取り付ける作業が簡単となる。
【００４２】
（４）また、連結部３２は、連結本体部４１の固定部３０側の端部４１ａを、固定部３０のカメラレンズモジュール３側の端部３０ａに連結するための連結基端部４０を更に含む。
【００４３】
（５）また、連結基端部４０は、固定部３０に接続し、折り返されるように形成された湾曲部４３と、連結本体部４１に接続し、固定部３０の圧入方向に延びる延部４４と、によって構成されている。以上の構成によれば、連結本体部４１は、固定部３０に弾性的に支持されることになる。
【００４４】
（６）また、接点突起部３１は、カメラレンズモジュール３側へ膨らみ出るように形成される接点突起部本体３４と、接点突起部本体３４の周縁に沿って切れ目なく形成されるフランジ部３５と、を含んで構成されている。
【００４５】
（８）また、フランジ部３５は、フランジ部３５が光軸方向隔壁１０に対して連結部３２のバネ復元力により接触している状態で、周方向において、接点突起部３１の接点突起部本体３４がコンタクト挿入孔２０の内周面２０ａに接触するよりも先にフランジ部３５が周方向隔壁１１に接触するように形成されており、もって、接点突起部３１の接点突起部本体３４はコンタクト挿入孔２０の内周面２０ａに接触不能である。以上の構成によれば、接点突起部３１の接点突起部本体３４と、コンタクト挿入孔２０の内周面２０ａと、の接触に起因するカスの発生を防止できるので、接点突起部本体３４を清浄に維持することが可能となり、もって、コンタクト５の接触信頼性に寄与する。
【００４６】
なお、接点突起部３１が押し下げられた際に接点突起部３１が若干径方向に傾くことで接点突起部３１がコンタクト挿入孔２０の内周面２０ａに接触することがないよう、コンタクト挿入孔２０は、予め径方向に沿って細長い長円形状に形成されている。
【００４７】
（第２実施形態）
次に、図１０を参照しつつ、本願発明の第２実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００４８】
上記第１実施形態では、例えば図７に示すように、コンタクト５は、ハンダ付け部４８を有している。ハンダ付け部４８は、図２に示すFPC６の電極パッド７にハンダ付けされる。
【００４９】
これに対し、本実施形態では、図１０に示すように、カメラレンズモジュール３をカメラ本体２に取り付けた際に、連結部３２の折り返し部４２が接触可能な電極パッド５０がFPC６に形成されている。図１０では、カメラレンズモジュール３をカメラ本体２に取り付けた際の変位後の折り返し部４２を二点鎖線で示している。
【００５０】
（第３実施形態）
次に、図１１及び図１２を参照しつつ、本願発明の第３実施形態を説明する。ここでは、本実施形態が上記第１実施形態と異なる点を中心に説明し、重複する説明は適宜省略する。また、上記第１実施形態の各構成要素に対応する構成要素には原則として同一の符号を付すこととする。
【００５１】
図１１に示すように、接点突起部３１は、例えば爪楊枝やクリップなどの鋭利な物を用いることで、カメラレンズモジュール３のカメラ本体２への取り付けとは無関係に無理やり押し下げられる場合がある。この結果、図１１に示すように、折り返し部４２に弾性限度を上回るような応力が発生してしまう場合がある。
【００５２】
そこで、本実施形態では、図１２に示すように、コンタクト５は、弾性変形規制部６０を更に有している。弾性変形規制部６０は、連結部３２の連結本体部４１の傾斜部４６から接点突起部３１に向かって突出し、接点突起部３１のフランジ部３５に対して接触可能な部分である。この弾性変形規制部６０の存在により、接点突起部３１が連結部３２に向かって過度に弾性変位することで折り返し部４２に弾性限度を上回るような応力が生じるのを抑制することができる。
【００５３】
（第４実施形態）
次に、図１３を参照しつつ、本願発明の第４実施形態を説明する。ここでは、本実施形態が上記第３実施形態と異なる点を中心に説明し、重複する説明は適宜省略する。また、上記第３実施形態の各構成要素に対応する構成要素には原則として同一の符号を付すこととする。
【００５４】
本実施形態では、図１３に示すように、コンタクト５は、弾性変形規制部６１を更に有している。弾性変形規制部６１は、連結部３２の連結本体部４１の傾斜部４６からFPC６に向かって突出し、FPC６に対して接触可能な部分である。この弾性変形規制部６１の存在により、連結部３２がFPC６に向かって過度に弾性変位することで連結基端部４０に弾性限度を上回るような応力が生じるのを抑制することができる。
【００５５】
以上に本願発明の第１〜４実施形態を説明した。次に、図１４〜図１８を参照して、コンタクト５の第１〜５変形例を説明する。
【００５６】
（第１変形例）
本変形例において、コンタクト５は、図１４に示すように、固定部７０と、接点突起部７１と、連結部７２を有している。固定部７０は、光軸方向に延びて形成されている。連結部７２は、連結本体部７３と折り返し部７４によって構成されている。連結本体部７３は、固定部７０の反被写体方向側の端部７０ａに接続している。連結本体部７３は、光軸近接方向で被写体方向側に傾斜して形成されている。
【００５７】
（第２変形例）
本変形例において、コンタクト５は、図１５に示すように、固定部８０と、接点突起部８１と、連結部８２を有している。固定部８０は、光軸方向に延びて形成されている。連結部８２は、連結本体部８３と折り返し部８４によって構成されている。連結本体部８３は、固定部８０の反被写体方向側の端部８０ａに接続している。連結本体部８３は、径方向に対して平行に延びて形成されている。
【００５８】
（第３変形例）
本変形例において、コンタクト５は、図１６に示すように、固定部９０と、接点突起部９１と、連結部９２を有している。固定部９０は、光軸方向に延びて形成されている。連結部８２は、連結基端部９３と連結本体部９４、折り返し部９５によって構成されている。連結本体部９４は、連結基端部９３を介して固定部９０の被写体方向側の端部９０ａに接続している。連結本体部９４は、径方向に対して平行に延びて形成されている。
【００５９】
（第４変形例）
本変形例において、コンタクト５は、図１７に示すように、固定部２００と、接点突起部２０１と、連結部２０２を有している。連結部２０２は、連結基端部２０３と連結本体部２０４、折り返し部２０５によって構成されている。
【００６０】
連結基端部２０３は、湾曲部２０６と延部２０７によって構成されている。湾曲部２０６は、固定部２００の反被写体方向側の端部２００ａに接続し、光軸近接方向側へ１８０度、折り返されるように湾曲した部分である。延部２０７は、連結本体部２０４の固定部２００側の端部２０４ａに接続し、光軸方向に延びる部分である。光軸方向において、延部２０７の長さは固定部２００の長さの略半分である。
【００６１】
連結本体部２０４は、光軸離間方向側で径方向に延びる第１水平部２０８と、反被写体方向側へ略V字状に突出するV字部２０９と、光軸近接方向側で径方向に延びる第２水平部２１０と、によって構成されている。V字部２０９は、図示しないFPC６に対して接触可能となっており、コンタクト５の過度な弾性変形を防止する機能を発揮する。
【００６２】
（第５変形例）
本変形例において、コンタクト５は、図１８に示すように、固定部３００と、接点突起部３０１と、連結部３０２を有している。連結部３０２は、連結基端部３０３と連結本体部３０４、折り返し部３０５によって構成されている。
【００６３】
連結基端部３０３は、湾曲部３０６と延部３０７によって構成されている。湾曲部３０６は、固定部３００の反被写体方向側の端部３００ａに接続し、光軸近接方向側へ１８０度、折り返されるように湾曲した部分である。延部３０７は、連結本体部３０４の固定部３００側の端部３０４ａに接続し、光軸方向に延びる部分である。光軸方向において、延部３０７の長さは固定部３００の長さの略半分である。
【００６４】
連結本体部３０４は、光軸離間方向側で径方向に延びる水平部３０８と、光軸近接方向側において光軸近接方向で反被写体方向に傾斜する傾斜部３０９と、によって構成されている。
【符号の説明】
【００６５】
１  マウント用電気コネクタ（電気コネクタ）
２  カメラ本体
３  カメラレンズモジュール
４  ハウジング
５  コンタクト
６  FPC（回路基板）
６ａ  FPC円弧部
６ｂ  FPCリード部
７  電極パッド
１０  光軸方向隔壁（モジュール側隔壁）
１０ａ  モジュール対向面
１０ｂ  コンタクト対向面
１１  周方向隔壁（側方隔壁）
１１ａ  コンタクト対向面
１２  内周壁
１３  コンタクト外周壁
１４  モジュール外周壁
１５  コンタクト収容室
１６  モジュール嵌合窪み
２０  コンタクト挿入孔
２０ａ  内周面
２１  圧入溝
２２  補強用リブ
３０  固定部
３０ａ  端部
３１  接点突起部
３２  連結部
３３  爪部
３４  接点突起部本体
３５  フランジ部
４０  連結基端部
４１  連結本体部
４１ａ  端部
４２  折り返し部
４３  湾曲部
４４  延部
４５  第１水平部
４６  傾斜部
４７  第２水平部
４８  ハンダ付け部
５０  電極パッド
６０  弾性変形規制部
６１  弾性変形規制部
７０  固定部
７０ａ  端部
７１  接点突起部
７２  連結部
７３  連結本体部
７４  折り返し部
８０  固定部
８０ａ  端部
８１  接点突起部
８２  連結部
８３  連結本体部
８４  折り返し部
９０  固定部
９０ａ  端部
９１  接点突起部
９２  連結部
９３  連結基端部
９４  連結本体部
９５  折り返し部
２００  固定部
２００ａ  端部
２０１  接点突起部
２０２  連結部
２０３  連結基端部
２０４  連結本体部
２０４ａ  端部
２０５  折り返し部
２０６  湾曲部
２０７  延部
２０８  第１水平部
２０９  V字部
２１０  第２水平部
３００  固定部
３００ａ  端部
３０１  接点突起部
３０２  連結部
３０３  連結基端部
３０４  連結本体部
３０４ａ  端部
３０５  折り返し部
３０６  湾曲部
３０７  延部
３０８  水平部
３０９  傾斜部
ａ  隙間
ｂ  隙間
P  光軸
Q  接触荷重
X  矢印
Y  矢印
【図１】
0005943647.tif 000002
【図２】
0005943647.tif 000003
【図３】
0005943647.tif 000004
【図４】
0005943647.tif 000005
【図５】
0005943647.tif 000006
【図６】
0005943647.tif 000007
【図７】
0005943647.tif 000008
【図８】
0005943647.tif 000009
【図９】
0005943647.tif 000010
【図１０】
0005943647.tif 000011
【図１１】
0005943647.tif 000012
【図１２】
0005943647.tif 000013
【図１３】
0005943647.tif 000014
【図１４】
0005943647.tif 000015
【図１５】
0005943647.tif 000016
【図１６】
0005943647.tif 000017
【図１７】
0005943647.tif 000018
【図１８】
0005943647.tif 000019
【図１９】
0005943647.tif 000020
【図２０】
0005943647.tif 000021